【事件の表示】
　特願２０００−２４０４８２「自動販売機」拒絶査定不服審判事件〔平成１３年１０月　５日出願公開、特開２００１−２７３５５４〕について、次のとおり審決する。
【結　論】
　本件審判の請求は、成り立たない。
【理　由】
１．　手続の経緯
　本願は，平成１２年８月８日（優先権主張：平成１２年１月１７日）の出願であって，平成１７年８月３１日付けで拒絶査定がなされ，これに対し，同年１０月６日に審判請求がなされるとともに，同年１１月２日に手続補正がなされたものである。
　　
２．　平成１７年１１月２日付け手続補正についての補正却下の決定
　　
［補正却下の決定の結論］
　平成１７年１１月２日付け手続補正を却下する。
　　
［理　由］
　　
（１）補正の内容　　
　平成１７年１１月２日付け手続補正（以下「本件補正」という。）により，特許請求の範囲の請求項１は，次のとおり補正された。
　　
　「本体部と，本体部に配されていて少なくとも幅方向に複数の区画をなして商品収納部が設けられた商品収納室と，本体部の前面にあって商品取り出し口が設けられた前面部と，商品収納室の商品収納部から商品を下部に投出する搬出装置と，１又は２以上の区画に対応して搬出装置から投出された商品を載置する複数のバケットと，それぞれのバケットを商品取り出し口の位置まで上昇させる複数の昇降装置からなり，下端が前記商品取り出し口の高さよりも高い位置にある前記商品収納部の商品と，下端が前記商品取り出し口の高さよりも低い位置にある前記商品収納部の商品とを前記区画内にある各々のバケットに投出し，昇降装置によってバケットを商品取り出し口の位置まで上昇させて商品の取り出しを可能とすることを特徴とする自動販売機。」
　　
　上記補正は，補正前の請求項１に記載した発明について，該発明を特定するために必要な事項である「自動販売機」について，「前記商品収納室に収納された商品を（搬出装置によって）対応するバケットに投出し，」を「下端が前記商品取り出し口の高さよりも高い位置にある前記商品収納部の商品と，下端が前記商品取り出し口の高さよりも低い位置にある前記商品収納部の商品とを前記区画内にある各々のバケットに投出し，」と付加し限定するものであって，特許法第１７条の２第４項第２号の特許請求の範囲の減縮を目的とするものに該当する。
　　
　そこで，本件補正後の請求項１に記載された発明（以下，「本願補正発明」という。）が，特許出願の際に独立して特許を受けることができるものであるか（特許法第１７条の２第５項において準用する同法第１２６条第５項の規定に適合するか）について以下に検討する。
　　
（２）引用例に記載された事項
　原審における平成１７年３月１５日付け拒絶理由通知書の中で引用した本願出願前に頒布された刊行物である特開平５−２７４５４３号公報（以下，「引用例」という。）には，図面と共に以下の記載がある。
　　
ア．　「【産業上の利用分野】本発明は，商品の落下排出位置が商品取り出し位置よりも高位置の第１商品貯蔵部と，商品の落下排出位置が商品取り出し位置よりも低位置の第２商品貯蔵部と，前記第２商品貯蔵部からの排出商品を商品取り出し位置に向けて揚送する揚送装置とが設けられている自動販売機に関する。」（段落【０００１】）
　　
イ．　「【発明が解決しようとする課題】上記従来技術によれば，第１商品貯蔵部と第２商品貯蔵部とを庫内の上下に振り分け配置して，第１商品貯蔵部と第２商品貯蔵部との間に形成した空間に，第１商品貯蔵部からの排出商品或いはエレベーターで搬送されてきた第２商品貯蔵部からの排出商品を商品取り出し位置に向けて滑降搬送するシュートを設けているため，第１商品貯蔵部と第２商品貯蔵部との間のシュート設置空間分だけ商品の貯蔵容積が少なくなる欠点がある。本発明は上記実情に鑑みてなされたものであって，第１商品貯蔵部と第２商品貯蔵部とを合理的に配置することにより，第１商品貯蔵部からの排出商品を自重で商品取り出し位置に搬送できる利点を生かしながら，商品の貯蔵容積を増大できる自動販売機を提供することを目的とする。」（段落【０００３】）
　　
ウ．　「商品Ｇの落下排出位置が商品取り出し位置よりも高位置の第１商品貯蔵部７ａと，商品Ｇの落下排出位置が商品取り出し位置よりも低位置の第２商品貯蔵部４，７ｂとが横方向に隣合う状態で配置され，前記第２商品貯蔵部４，７ｂからの排出商品Ｇを商品取り出し位置に向けて揚送する揚送装置Ｎの上端側に，前記第１商品貯蔵部７ａと当該第１商品貯蔵部７ａからの排出商品Ｇを受け止める商品受け面１５とが重合配置されている自動販売機。」（【請求項１】）
　　
エ．　「【実施例】図１乃至図４は缶入り飲料や瓶入り飲料等の商品Ｇを販売する自動販売機を示し，断熱壁１ａで囲繞されるキャビネット１の側壁端部に前面扉２が揺動開閉自在に枢支され，前面扉２には，・・・と，・・・商品取出部３と，・・・とが備えられているとともに，キャビネット１内には，商品Ｇを上下方向に積み重ねて貯蔵する第１乃至第３の三つの商品貯蔵庫Ａ１，Ａ２，Ａ３と，商品取出部３よりも低い位置に払い出された販売商品Ｇを商品取出部３に搬送する商品搬送装置Ｂと，商品貯蔵庫Ａ１，Ａ２，Ａ３内の商品Ｇを設定温度に保つ加熱冷却装置Ｃとが備えられている。」（段落【０００７】）
　　
オ．　「前記第１乃至第３商品貯蔵庫Ａ１，Ａ２，Ａ３は，キャビネット１内を断熱区画壁１ｂ，１ｃで区画することによって構成され，第１商品貯蔵庫Ａ１と第２商品貯蔵庫Ａ２との各々には，複数個の商品Ｇを前後方向に寝かせて積み重ね貯蔵する商品貯蔵空間６を備えた商品貯蔵部（以下商品コラムと記載する）４が商品Ｇを商品取り出し位置である商品取出部３の下面Ｊよりも低位置で下方に落下排出可能な状態で左右方向に四列で，かつ，前後方向に二個ずつ配設されており，更に，これら商品コラム４は，左右方向で隣接する四個を一つの単位とする前後方向で二組の商品コラムユニットＫに構成されている。前記第３商品貯蔵庫Ａ３には，商品Ｇを左右方向に寝かせて格納しているサーペンタイン式商品コラム７ａ，７ｂの三個を前後方向に重合配置してなるサーペンタイン式商品コラムユニット７と，第１，第２商品貯蔵庫Ａ１，Ａ２に配設された商品コラム４と同様に，複数個の商品Ｇを前後方向に寝かせて積み重ね貯蔵する商品貯蔵空間６を備えた一個の商品コラム４とが配置されているとともに，三個のサーペンタイン式商品コラム７ａ，７ｂのうちの奥側二個のサーペンタイン式商品コラム７ｂと商品コラム４は，商品Ｇを商品取出部３の下面Ｊよりも低位置で下方に落下排出可能な状態で設けられ，前面扉２側のサーペンタイン式商品コラム７ａは商品取出部３の下面Ｊよりも高位置で下方に落下排出可能な状態で設けられている。」（段落【０００８】前段）
　　
カ．　「前記各商品コラム４及びサーペンタイン式商品コラム７ａ，７ｂの下側部には，商品販売指令信号に基づいて，当該商品コラム４及びサーペンタイン式商品コラム７ａ，７ｂに貯蔵されている商品Ｇの最下端に位置するものを一個ずつ落下排出させる商品払出装置Ｌが配設されている。」（段落【０００８】後段）
　　
キ．　「前記商品搬送装置Ｂは，商品コラム４及びサーペンタイン式商品コラム７ｂから商品払出装置Ｌによって落下排出された商品Ｇを商品取出部３に向けて搬送するべく，第１乃至第３商品貯蔵庫Ａ１，Ａ２，Ａ３の下部側と第３商品貯蔵庫Ａ３の横側部とに亘って設けられ，落下排出された商品Ｇを左右方向に搬送する横搬送機構Ｍと，横搬送機構Ｍで搬送されてきた商品Ｇを，前面扉２側のサーペンタイン式商品コラム７ａの下面側で商品取出部３に向けて揚送する揚送装置Ｎとを設けて構成されている。」（段落【０００９】前段）
　　
ク．　「前記横搬送機構Ｍは，・・・シュート８ａ，８ｂ，８ｃと，・・・横方向に載置搬送するベルトコンベア９とを備え，・・・商品払出装置Ｌの作動で落下排出された商品Ｇは・・・シュート８ａ，８ｂ  ，８ｃ上を滑降してベルトコンベア９上に受け止められ，・・・を通過して第３商品貯蔵庫Ａ３側に落下する。」（段落【０００９】中段）
　　
ケ．　「前記揚送装置Ｎは，ベルトコンベア９から搬送方向に沿う横向きの姿勢で第３商品貯蔵庫Ａ３側に落下された商品Ｇを搬送方向に沿う横向きの姿勢のまま搬送用バケット１１で受け止めて商品取出部３に向けて持ち上げ搬送するよう構成され，販売待機時には，バケット１１が，・・・との略中間の待機位置で待機しており，商品販売指令信号が出力されると下降移動して，ベルトコンベア９から第３商品貯蔵庫Ａ３側に落下される商品Ｇを受け止めるべく，図３の実線で示すように，最大下降位置に停止し，商品Ｇを受け止めると最大上昇位置に向けて上昇移動して，・・・商品Ｇを商品取出部３に放出したあと，下降移動して待機位置で待機する。」（段落【０００９】後段）
　　
コ．　「前記前面扉２側のサーペンタイン式商品コラム７ａの下側と，揚送装置Ｎとの間に，当該商品コラム７ａから落下排出された商品Ｇを受け止めて自重で滑降させ，商品取出部３に搬送する商品受け面としてのシュート１５が設けられ，シュート１５からの商品放出口１６とバケット１１からの商品放出口１７とが上下に位置する状態で商品取出部３に臨んでいる。従って，ベルトコンベア９で搬送されてきた商品Ｇが搬送方向に沿う横向きの姿勢でバケット１１に乗せ換えられるから，バケット１１の前後方向での奥行き長さを小さくすることができ，揚送装置Ｎの奥行き寸法を小さくしてその分商品貯蔵容積を増大できるとともに，サーペンタイン式商品コラム７ａ並びにシュート１５の下側空間に揚送装置Ｎをコンパクトに配置できる」（段落【００１１】前段）
　　
サ．　「〔その他の実施例〕
 〔１〕　  ・・・。
 〔２〕　　・・・。
 〔３〕　 第２商品貯蔵部からの排出商品を商品取り出し位置に向けて揚送する揚送装置が複数設けられている場合は，その全部又は一部の揚送装置の上端側に，第１商品貯蔵部とその商品受け面とを重合配置して実施できる。
 〔４〕 〔３〕の場合において，複数の揚送装置を隣合わせて配置し，それらの揚送装置の上端側に亘って，一個或いは複数個の第１商品貯蔵部とその商品受け面とを重合配置して実施しても良い。」（段落【００１２】）
　　
（３）　引用例に記載された発明
　ところで，第１ないし第３商品貯蔵庫Ａ１，Ａ２，Ａ３を総称して「商品収納室」と称し，また，揚送装置がバケットの外に「昇降装置」を有することは明らかであるから，記載事項ウないしコ及び図１ないし図４により，引用例には次の発明（以下，「引用例発明」という。）が記載されているものと認められる。
　　
　「本体部と，本体部に配されていて少なくとも幅方向に複数の商品貯蔵庫をなして商品貯蔵部が設けられた商品収納室と，本体部の前面にあって商品取出部が設けられた前面扉と，商品収納室の商品貯蔵部から商品を下部に投出する商品払出装置と，２以上の区画に対応して商品払出装置から投出された商品を載置する一つのバケットと，このバケットを商品取出部の位置まで上昇させる一つの昇降装置からなり，下端が前記商品取出部の高さよりも高い位置にある前記商品貯蔵部の商品をシュートで受け止めて商品取出部に搬送し、下端が前記商品取出部の高さよりも低い位置にある前記商品貯蔵部の商品を前記バケットに投げ出し、昇降装置によってバケットを商品取出部の位置まで上昇させて商品の取り出しを可能とする自動販売機。」
　　
（４）　対比，一致点・相違点
　本願補正発明と引用例発明を対比すると，引用例発明の「商品貯蔵庫」，「商品貯蔵部」，「商品取出部」，「前面扉」，及び「商品払出装置」は，それぞれ本願補正発明の「区画」，「商品収納部」，「商品取り出し口」，「前面部」，及び「搬出装置」に相当する。
　　
　したがって，両発明は，
　
　「本体部と，本体部に配されていて少なくとも幅方向に複数の区画をなして商品収納部が設けられた商品収納室と，本体部の前面にあって商品取り出し口が設けられた前面部と，商品収納室の商品収納部から商品を下部に投出する搬出装置と，２以上の区画に対応して搬出装置から投出された商品を載置するバケットと，このバケットを商品取り出し口の位置まで上昇させる昇降装置からなる自動販売機。」
　
の点で一致し，次の点で相違する。
　　
　［相違点１］
　本願補正発明では，１又は２以上の区画に対応して搬出装置から投出された商品を載置する複数のバケットと，それぞれのバケットを商品取り出し口の位置まで上昇させる複数の昇降装置とを設けたのに対して、引用例発明では，２以上の区画に対応して搬出装置から投出された商品を載置する一つのバケットと，そのバケットを商品取り出し口の位置まで上昇させる一つの昇降装置とを設けた点。
　　
　［相違点２］
　本願補正発明では，下端が前記商品取り出し口の高さよりも高い位置にある前記商品収納部の商品と，下端が前記商品取り出し口の高さよりも低い位置にある前記商品収納部の商品とを前記区画内にある各々のバケットに投出し，昇降装置によってバケットを商品取り出し口の位置まで上昇させて商品の取り出しを可能とするのに対して、引用例発明では、下端が前記商品取り出し口の高さよりも高い位置にある前記商品収納部の商品をシュートで受け止めて商品取り出し口に搬送し、下端が前記商品取り出し口の高さよりも低い位置にある前記商品収納部の商品を前記バケットに投げ出し、昇降装置によってバケットを商品取り出し口の位置まで上昇させて商品の取り出しを可能とする点。
　
（５）相違点についての検討
　
　［相違点１について］
　引用例には，「その他の実施例」として，第２商品貯蔵部（下端が前記商品取り出し口の高さよりも低い位置にある商品収納部）からの排出商品を商品取り出し位置に向けて揚送する揚送装置（バケットと昇降装置）を複数設けることが示唆されている（記載事項サ参照）。
　　
　したがって，引用例発明において，バケットと昇降装置とを複数設け，相違点１に係る本願補正発明の構成を採用することは，当業者が設計上必要に応じて適宜になし得たことである。
　
　［相違点２について］
　一般的に，種々の機器，装置において，部品点数を可能な限り少なくすることは，引用例を挙げるまでもなく，従来周知の技術課題である。
　　
　また，引用例に記載された実施例において，特に第１図を参照すると、シュートを省いても，下端が前記商品取り出し口の高さよりも高い位置にある商品収納部の商品は，低い位置にある商品収納部の商品と同様に，バケットに投げ出され，昇降装置によって商品取り出し口の位置まで上昇され，取り出しが可能になることは，当業者にとって明らかなことである。
　
　したがって，引用例発明において，相違点１の検討で述べたように、バケットと昇降装置とを複数設けた上で，シュートを省いて，上記相違点２に係る本願補正発明の構成を採用することは，当業者が容易に想到し得たことである。
　　
　そして，本願補正発明の効果は引用例に記載された事項及び従来周知の技術課題から予測し得る程度のものであって，格別なものでない。
　　
（６）　むすび
　以上のとおりであるから，本願補正発明は，引用例に記載された事項及び従来周知の技術課題に基づいて当業者が容易に発明をすることができたものであり，特許法第２９条第２項の規定により，特許出願の際独立して特許を受けることができないものである。
　　
　したがって，本件補正は，特許法第１７条の２第５項において準用する同法第１２６条第５項に違反するので，同法第１５９条第１項において読み替えて準用する同法第５３条第１項の規定により却下されるべきものである。
　　　
３．　本願発明について
　
（１）　本願の請求項１ないし１３に係る発明
　本件補正は前記のとおり却下されたので，本願の請求項１ないし１３に係る発明は，願書に最初に添付された明細書及び図面の記載からみて，その特許請求の範囲の請求項１〜１３に記載されたとおりの次のものである。
　　
　「【請求項１】　本体部と、本体部に配されていて少なくとも幅方向に複数の区画をなして商品収納部が設けられた商品収納室と、本体部の前面にあって商品取り出し口が設けられた前面部と、商品収納室の商品収納部から商品を下部に投出する搬出装置と、１又は２以上の区画に対応して搬出装置から投出された商品を載置する複数のバケットと、それぞれのバケットを商品取り出し口の位置まで上昇させる複数の昇降装置からなり、前記商品収納室に収納された商品を搬出装置によって対応するバケットに投出し、昇降装置によってバケットを商品取り出し口の位置まで上昇させて商品の取り出しを可能とすることを特徴とする自動販売機。
　【請求項２】　バケットは傾斜角度が可変であり、商品収納室に収納された商品を搬出装置によってバケットに投出し、さらにバケットの傾斜角度を大きくした後、昇降装置によってバケットを商品取り出し口の位置まで上昇させることを特徴とする請求項１に記載の自動販売機。
　【請求項３】　本体部と、本体部に配された商品収納室と、本体部の前面にあって商品取り出し口が設けられた前面部と、商品収納室の商品収納部から商品を下部に投出する搬出装置と、搬出装置から投出された商品を載置すると共に傾斜角度が可変であるバケットと、バケットを商品取り出し口の位置まで上昇させる昇降装置からなり、前記商品収納室に収納された商品を搬出装置によってバケットに投出し、さらにバケットの傾斜角度を大きくした後、昇降装置によってバケットを商品取り出し口の位置まで上昇させて商品の取り出しを可能とすることを特徴とする自動販売機。
　【請求項４】　昇降装置は、一対の部材を交差状に配してその中間部分を回転可能に接合し、さらに他の一対の部材と端部同士を回転可能に接合したパンタグラフ構造を備え、部材の交差角度を変化させることにより伸縮することを特徴とする請求項１乃至３のいずれかに記載の自動販売機。
　【請求項５】　昇降装置は、パンタグラフ構造を構成する一つの部材の中間部に、所定の位置を中心として揺動する揺動部材が係合され、前記揺動部材を揺動させることにより、昇降装置を伸縮させることを特徴とする請求項４に記載の自動販売機。
　【請求項６】　本体部と、本体部に配された商品収納室と、本体部の前面にあって商品取り出し口が設けられた前面部と、商品収納室の商品収納部から商品を下部に投出する搬出装置と、搬出装置から投出された商品を載置するバケットと、バケットを商品取り出し口の位置まで上昇させる複数の昇降装置からなり、前記昇降装置は、一対の部材を交差状に配してその中間部分を回転可能に接合し、さらに他の一対の部材と端部同士を回転可能に接合したパンタグラフ構造を有し、パンタグラフ構造を構成する一つの部材の中間部に、所定の位置を中心として揺動する揺動部材が係合され、前記揺動部材を揺動させることにより、昇降装置を伸縮させることを特徴とする自動販売機。
　【請求項７】　昇降装置は、パンタグラフ構造を構成する一つの部材の中間部に、所定の位置を中心として揺動する主揺動部材が係合され、さらに主揺動部材に他の所定の位置を中心として揺動する副揺動部材が係合し、副揺動部材を揺動させることにより主揺動部材を揺動し、昇降装置が伸縮することを特徴とする請求項４乃至６のいずれかに記載の自動販売機。
　【請求項８】　主揺動部材の揺動中心とパンタグラフ構造との係合点を結ぶ直線と、副揺動部材の揺動中心と主揺動部材との係合点を結ぶ直線は、バケットが商品取り出し口の位置まで上昇した時に略直交することを特徴とする請求項６又は７に記載の自動販売機。
　【請求項９】　本体部と扉部を有し、本体部に昇降装置が設けられていることを特徴とする請求項１乃至８のいずれかに記載の自動販売機。
　【請求項１０】　弾性体と係止部材を有し、バケットは、前記弾性体によって一定の傾斜角度となるように付勢されており、これを係止部材によって他の角度となるように保持することを特徴とする請求項２乃至９のいずれかに記載の自動販売機。
　【請求項１１】　バケットを一定の傾斜角度となる様に付勢する弾性体と、バケットに設けられた係合部と、回転体に設けられた係止部材を有し、待機状態にあるときバケットは回転体の係止部材が係合部と係合して弾性体に抗して所定の傾斜角度となり、商品がバケットに投出された後に回転体を回転して係止部材と係合部の係合を解き、バケットを一定の傾斜角度とすることを特徴とする請求項２乃至１０のいずれかに記載の自動販売機。
　【請求項１２】　昇降装置は、一対の部材を交差状に配してその中間部分を回転可能に接合し、さらに他の一対の部材と端部同士を回転可能に接合したパンタグラフ構造を備え、部材の交差角度を変化させることにより伸縮するものであり、回転体又は回転体と係合する部材によって昇降装置を伸縮させることを特徴とする請求項２乃至１１のいずれかに記載の自動販売機。
　【請求項１３】　回転体は昇降用係合部を持ち、昇降用係合部を他の部材に係合させて昇降装置を伸縮させることを特徴とする請求項１１又は１２に記載の自動販売機。」
　　
（２）　本願の請求項１に係る発明の容易想到性について
　本願の請求項１に係る発明（以下「本願発明」という。）は，本願補正発明の「下端が前記商品取り出し口の高さよりも高い位置にある前記商品収納部の商品と，下端が前記商品取り出し口の高さよりも低い位置にある前記商品収納部の商品とを前記区画内にある各々のバケットに投出し，」を「前記商品収納室に収納された商品を（搬出装置によって）対応するバケットに投出し，」とした以外は，同一のものである。
　　
　そうすると，本願発明を限定して減縮した本願補正発明について，前記のとおり，その容易想到性が肯定される以上，本願発明も，本願補正発明における理由と同じ理由により，その容易想到性が肯定されることになる。
　　
（３）　まとめ
　したがって，本願発明は，特許法第２９条第２項の規定により特許を受けることができない。
　　
　よって，本願の他の請求項に係る発明について検討するまでもなく，結論のとおり審決する。